(57)【要約】【課題】費用が節減でき、空間的な余裕を持つようにされた統合駆動部に連結することができる接続部材とプラズマディスプレイパネル駆動装置を提供する。【解決手段】  このプラズマディスプレイパネル駆動装置は背面基板上の一方側に設置されて前面基板上に配列されたスキャン電極と共通電極を統合的に駆動する統合駆動回路と、前面基板上の統合駆動回路と向き合う位置に具備されて、スキャン電極と共通電極をそれぞれ引き入れる電極端子部と、両側の接合部のそれぞれはスキャン用電極パッドと共通用電極パッドの２段接続構造からなって、一方側接合部は統合駆動回路に連結されて、他方側接合部は電極端子部に連結される接続部材とを含む。【選択図】図５
2005037950.tif 000002
【特許請求の範囲】
【請求項１】
一方が電極端子部に、他方が統合駆動回路に連結される接続部材の両側にある接合部のそれぞれがスキャン用電極パッドと共通用電極パッドの２段接続構造からなることを特徴とする接続部材。
【請求項２】
前記スキャン用電極パッドと前記共通用電極パッドのいずれかは他方より長く引き出されることを特徴とする請求項１記載の接続部材。
【請求項３】
前記スキャン用電極パッドと前記共通用電極パッドの先端の一定部分を除いた他の部分は絶縁物で覆われることを特徴とする請求項１記載の接続部材。
【請求項４】
前記電極端子部に連結される接合部の幅が前記統合駆動回路に連結される接合部の幅より少なくとも広いことを特徴とする請求項１記載の接続部材。
【請求項５】
背面基板上の一方側に設置されて前面基板上に配列されたスキャン電極と共通電極を統合的に駆動する統合駆動回路と、前面基板上の前記統合駆動回路に向きあう位置に設けられ、前記スキャン電極と前記共通電極をそれぞれ引き出す電極端子部と、両側の接合部のそれぞれはスキャン用電極パッドと共通用電極パッドの２段接続構造からなり、一方側の接合部は前記統合駆動回路に連結され、他方の接合部は前記電極端子部に連結される接続部材とを含むことを特徴とするプラズマディスプレイパネル駆動装置。
【請求項６】
前記スキャン用電極パッドと前記共通用電極パッドのいずれかが他方より長く引き出されることを特徴とする請求項５記載のプラズマディスプレイパネル駆動装置。 
【請求項７】
前記スキャン用電極パッドと前記共通用電極パッドの先端の一定部分を除いた他の部分は絶縁物で覆われていることを特徴とする請求項５記載のプラズマディスプレイパネル駆動装置。 
【請求項８】
前記電極端子部に連結された接合部の幅が前記統合駆動回路に連結される接合部の幅より少なくとも広いことを特徴とする請求項５記載のプラズマディスプレイパネル駆動装置。 
【請求項９】
前記統合駆動回路のコネクタが前記接続部材の接続構造と対応されるように形成されることを特徴とする請求項５記載のプラズマディスプレイパネル駆動装置。 
【請求項１０】
前記電極端子部に連結された前記接続部材の接合部は前記接続部材の接続構造と対応されるように形成されることを特徴とする請求項５記載のプラズマディスプレイパネル駆動装置。 
【請求項１１】
前記接続部材はスキャン用電極パッドが配列される第１段と共通用電極パッドが配列される第２段からなることを特徴とする請求項５記載のプラズマディスプレイパネル駆動装置。 
【請求項１２】
前記接続部材の両側接合部には前記スキャン用電極パッドと前記共通用電極パッドが同一面上に配列されることを特徴とする請求項５記載のプラズマディスプレイパネル駆動装置。 
【請求項１３】
前記接続部材の両側接合部には前記スキャン用電極パッドと前記共通用電極パッドが前記第１段と第２段にそれぞれ配列されることを特徴とする請求項５記載のプラズマディスプレイパネル駆動装置。 
【請求項１４】
前記統合駆動回路は、前記スキャン電極を駆動するためのスキャン信号と前記共通電極を駆動するための共通信号をそれぞれ生成する駆動部と、前記スキャン信号を駆動しようとする該当のスキャン電極に印加させる印加手段を含むことを特徴とする請求項５記載のプラズマディスプレイパネル駆動装置。 
【請求項１５】
前記コネクタは前記印加手段に具備されることを特徴とする請求項９または１４記載のプラズマディスプレイパネル駆動装置。 
【請求項１６】
前記共通信号は前記印加手段を経由しないで直接接続部材に入力されることを特徴とする請求項１４記載のプラズマディスプレイパネル駆動装置。 
【発明の詳細な説明】
【技術分野】
【０００１】
本発明はプラズマディスプレイパネルに関し、特に、統合ボードと電極との間を連結させる接続部材とプラズマディスプレイパネル駆動装置に関する。
【背景技術】
【０００２】
プラズマディスプレイパネルはフラットパネルディスプレイの中で最も実用性が高い次世代の表示装置として脚光を浴びている。すなわち、プラズマディスプレイパネルは輝度が高くて視野角が広くて屋外広告塔または壁掛けテレビ、劇場用ディスプレイのように薄型の大型ディスプレイとして応用性が非常に広い。 
【０００３】
一般的に、プラズマディスプレイパネルは放電セル内に封入された不活性ガスの放電によって発生させた紫外線を蛍光体に照射して発光される可視光線を利用した表示装置である。
【０００４】
図１は従来の各電極が配列された前面基板を示した図である。図２は従来の駆動装置を備えた背面基板を示した図である。
【０００５】
図１、図２を参照すると、前面基板（１）にはアドレス電極（２）が配列されるとともに、アドレス電極（２）と直交するようにスキャン電極（３）及び共通電極（４）が配列されている。もちろん、図１に図示しなかったが、前面基板（１）にはプラズマ工程技法を利用して誘電体層、保護層、隔壁、蛍光体層などが形成されている。
【０００６】
また、前面基板（１）の両側にはスキャン電極（３）及び共通電極（４）をそれぞれ引き出すスキャン電極端子部（１２）及び共通電極端子部（１４）がそれぞれ設けられている。
【０００７】
このように配列された各電極（２、３、４）に駆動信号を印加するための駆動装置が前面基板（１）に向き合って取り付けられている背面基板（７）に設けられている。
【０００８】
図２に示したように、背面基板（７）には各駆動信号を制御するための制御部（８）、制御部（８）の制御信号によって所定の駆動信号を生成するスキャン駆動部（９）、共通駆動部（１０）がそれぞれ設けられている。スキャン駆動部（９）は背面基板（７）の一方側に設けられ、共通駆動部（１０）は背面基板（７）の反対側にそれぞれ設けられている。また、図２に示さなかったが、背面基板（７）には図１のアドレス電極（２）を駆動するための駆動信号を生成するアドレス駆動部も設けられている。
【０００９】
さらに、背面基板（７）にはスキャン駆動部（９）及び共通駆動部（１０）で生成された駆動信号を図１のスキャン電極（３）と共通電極（４）に印加するための各電極端子部（１２、１４）と各駆動部（９、１０）との間に連結される接続部材（５、６）が設けられている。  
【００１０】
この時、背面基板（７）にはスキャン駆動部（９）から生成されたスキャン信号を該当のスキャン電極に印加するためのバッファ（１６）も設けられている。このような場合、接続部材（５）は前面基板（１）のスキャン電極端子部（１２）とバッファ（１６）との間に連結される。
【００１１】
接続部材（５、６）はバッファ（１６）に連結される場合には背面基板（７）の一方側に具備され、共通駆動部（１０）に連結される場合には背面基板（７）の他方側に設けられている。これによって、バッファ（１６）に連結された接続部材（５）はスキャン電極端子部（１２）に連結され、共通駆動部（１０）に連結された接続部材（６）は共通電極端子部（１４）に連結される。
【００１２】
このように構成された場合の動作を見ると、制御部（８）によって各電極を駆動するための制御信号がスキャン駆動部（９）または共通駆動部（１０）に入力される。
【００１３】
スキャン駆動部（９）は制御信号によってスキャン信号を生成してバッファ（１６）に伝達する。バッファ（１６）はスキャン信号を加えるべき該当スキャン電極を探す。したがって、接続部材（５）とスキャン電極端子部（１２）を経由して該当のスキャン電極にスキャン信号が入力される。これによって、該当のスキャン電極が駆動される。
【００１４】
一方、共通駆動部（１０）は制御部（８）の制御信号によって共通信号を生成して共通電極端子部（１４）を経由して共通電極（４）に共通信号を印加する。これによって共通電極（４）が駆動される。
【００１５】
このような従来の駆動装置は、スキャン電極（３）と共通電極（４）を駆動させるための駆動部（９、１０）を分離させて、駆動部（９、１０）と連結される接続部材（５、６）も同様に分離しているので、背面基板（７）で占める面積もそれだけ広くなって占有面積が増加する。
【００１６】
このように、それぞれの駆動部（９、１０）と接続部材（５、６）が数多く使われると、プラズマディスプレイパネルの主要長所である薄型化趨勢に逆行することになり、このような構成部品をより少なくする必要性がある。
【００１７】
また、このように従来は多数の駆動部（９、１０）と接続部材（５、６）を使用しているので、費用が嵩むという短所がある。
【００１８】
さらに、このように各駆動部（９、１０）と接続部材（５、６）とを分離させると、制御部（８）による制御時に駆動特性が悪くなることもある。
【発明の開示】
【発明が解決しようとする課題】
【００１９】
したがって、本発明の目的は各駆動部と接続部材を統合して背面基板に余裕を与えると同時に費用を節減させることができる接続部材と、それを利用したプラズマディスプレイパネル駆動装置を提供しようとするものである。
【課題を解決するための手段】
【００２０】
上記目的を達成するために、本発明に係る接続部材は、電極端子部と統合駆動回路に連結される接続部材の両側接合部のそれぞれがスキャン用電極パッドと共通用電極パッドの２段接続構造からなる。
【００２１】
スキャン用電極パッドと共通用電極パッドのいずれかは他方より長く引き出される。また、スキャン用電極パッドと共通用電極パッドの先端の一定部分を除いた他の部分は絶縁物で覆われている。さらに、電極端子部に連結された接合部の幅が統合駆動回路に連結される接合部の幅より少なくとも広いものが望ましい。
【００２２】
本発明の望ましい他の実施態様によると、背面基板上の一方側に設置されて前面基板上に配列されたスキャン電極と共通電極を統合的に駆動する統合駆動回路と、前面基板上の統合駆動回路に向き合う位置に設けられ、スキャン電極と共通電極をそれぞれ引き出す電極端子部と、両側の接合部のそれぞれがスキャン用電極パッドと共通用電極パッドの２段接続構造からなり、一方の接合部は統合駆動回路に連結されて、他方の接合部は電極端子部に連結される接続部材とを含む。
【００２３】
統合駆動回路のコネクタは接続部材の接続構造と対応されるように形成されることが好ましい。また、電極端子部の接続部材側接合部は接続部材の接続構造と対応されるように形成される。
【００２４】
さらに、接続部材はスキャン用電極パッドが配列される第１段と共通用電極パッドが配列される第２段からなる。この時、接続部材の両側の接合部にはスキャン用電極パッドと共通用電極パッドが同一面上に配列されか、または第１段と第２段にそれぞれ配列させることができる。
【発明の効果】
【００２５】
本発明に係る接続部材とプラズマディスプレイパネル駆動装置は、従来の分離したスキャン駆動部と共通駆動部を一つに統合する一方、このように統合された統合駆動部から生成されたスキャン信号または共通信号を前面基板上に配列されたスキャン電極と共通電極に印加するようにしたため、統合駆動部と電極端子部の間を連結することができる一つの単一接続部材を設けるだけでよいので、背面基板上に空間的な余裕を与えることができ、したがって薄型化されたプラズマディスプレイパネルを実現できるだけではなく、接続部材と駆動部を減らすことができるので、費用をより多く節約することができる。
【００２６】
さらに、分離した駆動部と接続部材のそれぞれを統合しているの、制御部による制御時に駆動特性が向上するという效果がある。
【発明を実施するための最良の形態】
【００２７】
以下、添付された図面を参照して本発明に係るプラズマディスプレイパネルに対して詳しく説明する。
図３は本発明の望ましい実施形態に係る各電極が配列された前面基板を示した図で、図４は本発明の望ましい実施形態に係る駆動装置が具備された背面基板を示した図である。
【００２８】
図３と図４を参照すると、前面基板（５１）にはアドレス電極（５２）が配列され、アドレス電極（５２）と直交するようにスキャン電極（５３）と共通電極（５４）が配列されている。もちろん、図３に示さなかったが、前面基板（５１）には誘電体層、保護層、隔壁、蛍光体層などが形成されている。
【００２９】
また、前面基板（５１）にはスキャン電極（５３）と共通電極（５４）をそれぞれ引き入れる電極端子部（６６）が一方側に設けられている。従来は図１に示したように電極端子部がスキャン電極端子部（１２）と共通電極端子部（１４）に分離して、前面基板（１）の両側にそれぞれ設けられていたのに比べて、本発明の電極端子部（６６）は一つだけが前面基板（５１）の一方側に設けられている。
【００３０】
このように配列された各電極（５２、５３、５４）に駆動信号を印加するための駆動装置は前面基板（５１）に取り付けた背面基板（５、６）に設けられている。
【００３１】
図４に示したように、背面基板（５、６）には各駆動信号を制御するための制御部（５７）、制御部（５７）の制御信号によってスキャン信号または共通信号を生成する統合駆動部（５８）が設けられている。このような統合駆動部（５８）は制御部（５７）に連結されて、背面基板（５、６）の一方側に設けられている。さらに詳しく説明すると、統合駆動部（５８）は前面基板（５１）の一方側に設けた電極端子部（６６）と同じ側となるように背面基板（５、６）に設けることが望ましい。従来は図２に示したように駆動部がスキャン駆動部（９）と共通駆動部（１０）に分離していたが、本発明の駆動部は従来のスキャン駆動部と共通駆動部を一つの統合駆動部（５８）に統合している。
【００３２】
図４に示さなかったが、背面基板（５、６）には図３のアドレス電極（５２）を駆動するための駆動信号を生成するアドレス駆動部がさらに設けられている。
【００３３】
さらに、背面基板（５、６）の統合駆動部（５８）から生成された信号を図３のスキャン電極（５３）と共通電極（５４）に印加するための接続部材（５５）が電極端子部（６６）と統合駆動部（５８）との間に連結されている。
【００３４】
背面基板（５、６）には統合駆動部（５８）から生成されたスキャン信号を該当のスキャン電極に印加するためのバッファ（５９）がさらに設けられている。本接続部材（５５）は前面基板（５１）の電極端子部（６６）と背面基板（５、６）のバッファ（５９）との間に連結される。バッファ（５９）には接続部材（５５）を接続するためのコネクタ（図示せず）が設けられている。同様に統合駆動部（５８）にも対応するコネクタ（図示せず）が設けられている。
【００３５】
本発明は駆動部を統合した場合に接続部材をどのように構成して連結するのかに最大の特徴がある。以下の説明で本発明に係る接続部材（５５）をより詳しく説明する。
【００３６】
図５は本発明の望ましい実施形態に係る接続部材を示した図である。
【００３７】
図５に示したように、接続部材（５５）には所定の電極パッドが並んで配列されている。この時、接続部材（５５）はフレキシブル基板（ＦＰＣ：Flexible Printed Circuit）であるのが望ましい。このような接続部材（５５）にスキャン用電極パッド（Ｙ）（６１、７１）と共通用電極パッド（Ｚ）（６２、７２）が並んで配列される。もし前面基板（５１）に配列された電極が図３に図示したようにスキャン電極（５３）、共通電極（５４）、共通電極（５４）、スキャン電極（５３）の順に配列されていると、背面基板（５、６）の接続部材（５５）に配列される電極パッドは、スキャン用電極パッド（Ｙ）（６１、７１）、共通用電極パッド（Ｚ）（６２、７２）、共通用電極パッド（Ｚ）（６２、７２）、スキャン用電極パッド（Ｙ）（６１、７１）の順に配列されることが望ましい。したがって、前面基板（５１）上に配列される電極（５３５４）と背面基板上に配列される電極パッド（６１、６２、７１、７２）は互いに対応するように連結される。
【００３８】
接続部材（５５）はその両側の接合部（６０、７０）のそれぞれがスキャン用電極パッド（６１、７１）と共通用電極パッド（６２、７２）の２段接続構造からなる。ここで、２段接続構造とはスキャン用電極パッド（６１、７１）と共通用電極パッド（６２、７２）の先端（６７、６８、７５、７６）の位置が異なるように配列されることを意味する。具体的には、スキャン用電極パッド（６１、７１）の先端（６８、７６）が共通用電極パッド（６２、７２）の先端（６７、７５）より長く引き出されるように配列されている。また、これとは逆に共通用電極パッド（６２、７２）の先端（６７、７５）がスキャン用電極パッド（６１、７１）の先端（６８、７６）より長く引き出すようにしてもよい。要するに、スキャン用電極パッド（６１、７１）または共通用電極パッド（６２、７２）のいずれかの先端は他の先端より長く引き出されていれば良い。すなわち段違い構造とされている。スキャン用電極パッド（６１、７１）と共通用電極パッド（６２、７２）の各先端の間の間隔は各電極パッド（６１、６２、７１、７２）の間の間隔やその幅によって変わるので、設計の時に最適になるように決めればよい。
【００３９】
この時、スキャン用電極パッド（６１、７１）と共通用電極パッド（６２、７２）のそれぞれはその先端（６７、６８、７５、７６）の一定部分（６３、６４、７３、７４）を除いて全て絶縁物で塗布されている。すなわち、絶縁物で覆われている。このような場合、一定部分（６３、６４、７３、７４）に相当する各電極パッド（６１、６２、７１、７２）は電極端子部（６６）とバッファ（５９）とを結合させる時に使用される。
【００４０】
このように各電極パッドの先端の位置を段違い構造とする一方、各電極パッドの先端を除いた部分を絶縁物で覆うことで、微細な間隔に配列される電極の間に発生することがあるショートを防ぐことができ、駆動時に誤動作が発生するのを防止することができる。
【００４１】
接続部材（５５）の両側の接合部（６０、７０）の幅（Ｗｃ、Ｗｐ）も互いに異なるように設計することが望ましい。
【００４２】
一般的に、画素が表示される前面基板は非常に大きいのに比べて、このような前面基板に配列された各電極に駆動信号を印加するための駆動装置は非常に小さい。
【００４３】
したがって、駆動装置から発生した信号を前面基板の各電極に分配するためには図５に図示したように、バッファ（５９）に連結される接続部材（５５）の接合部（７０）は比較的小さい幅（Ｗｃ）を持つのに対して、電極端子部（６６）と連結される接続部材（５５）の接合部（６０）は比較的大きい幅（Ｗｐ）となる。必要であれば、バッファ（５９）に連結される接続部材（５５）の接合部（７０）の幅（Ｗｃ）を増加させることはできるが、電極端子部（６６）と連結される接続部材（５５）の幅（Ｗｐ）より大きくなることがないようにすることが望ましい。
【００４４】
一方、接続部材（５５）はスキャン用電極パッド（６１、７１）が配列される第１段と共通用電極パッド（６２、７２）が配列される第２段の２段構造とすることもできる。すなわち、接続部材（５５）を２段に分けて一つの段にはスキャン用電極パッド（６１、７１）を配列して、他の一つの段には共通用電極パッド（６２、７２）を配列する。この時、スキャン用電極パッド（６１、７１）と共通用電極パッド（６２、７２）の間には絶縁物を設けることが望ましい。
【００４５】
このような場合に、接続パッド（５５）の両側の接合部（６０、７０）はスキャン用電極パッド（６１、７１）と共通用電極パッド（６２、７２）を同一面上に配列させることができる。または、接続部材（５５）の両側の接合部（６０、７０）にはスキャン用電極パッド（６１、７１）と共通用電極パッド（６２、７２）が２段にそれぞれ配列させることができる。
【００４６】
このように、２段にそれぞれスキャン用電極パッド（６１、７１）と共通用電極パッド（６２、７２）を配列することで、電極パッドの間の絶縁性を増加させることができる。
【００４７】
このような接続部材をバッファと電極端子部に連結すると、統合駆動部で生成されたスキャン信号または共通信号がバッファを経由するか、またはバッファを経由しないで接続部材を通じて電極端子部に入力され、電極端子部に連結されたスキャン電極または共通電極にそれぞれスキャン信号または共通信号が印加される。
【００４８】
このとき、統合駆動部（５８）で生成されたスキャン信号はバッファ（５９）を経由して接続部材（５５）に入力されるが、共通信号はバッファ（５９）を経由しないで直接接続部材（５５）に入力される。なぜなら、スキャン信号は前面基板（５１）上に配列された多数のスキャン電極（５３）中の特定のスキャン電極に印加される必要があるので、特定のスキャン電極を決めるためにバッファ（５９）を経由しなければならないが、共通信号は前面基板（５１）上に配列された多数の共通電極（５４）全体に同一に印加されるので、特に印加される共通電極を決める必要がないからである。
【００４９】
このようにして、スキャン用電極パッド（６１、７１）と共通用電極パッド（６２、７２）が一体に形成された単一の接続部材（５５）を利用して、統合駆動部（５８）で生成された信号を前面基板（５１）上の各電極（５３、５４）に印加して画素を表示することができる。
【図面の簡単な説明】
【００５０】
【図１】従来の各電極が配列された前面基板を示した図。
【図２】従来の駆動装置が具備された背面基板を示した図。
【図３】本発明の望ましい実施形態に係る各電極が配列された前面基板を示した図。
【図４】本発明の望ましい実施形態に係る駆動装置が具備された背面基板を示した図。
【図５】本発明の望ましい実施形態に係る接続部材を示した図。
【符号の説明】
【００５１】
５１：前面基板、５３：スキャン電極、５４：共通電極、５５：接続部材、５、６：背面基板、５８：統合駆動部、５９：バッファ、６１：スキャン用電極パッド、６２：共通用電極パッド、６６：電極端子部、７０、７２：接合部
【図１】
2005037950.tif 000003
【図２】
2005037950.tif 000004
【図３】
2005037950.tif 000005
【図４】
2005037950.tif 000006
【図５】
2005037950.tif 000007